(57)【要約】【課題】十分な光量を得ることが可能な両面発光型照明装置を提供する。【解決手段】本発明の両面発光型照明装置１は、シート状の導光体を含んで構成された、可撓性を有する発光部１０と、光源を有し、発光部１０の周縁部に取り付けられた光源部３０とを備え、発光部１０は、導光体の厚さ方向両側に配置された光学シートを有し、導光体は、厚さ方向における第一面に複数の光偏向要素を有する。【選択図】図１
2015159031.tif 000002
【特許請求の範囲】
【請求項１】
シート状の導光体を含んで構成された、可撓性を有する発光部と、
光源を有し、前記発光部の周縁部に取り付けられた光源部と、
を備え、
前記発光部は、前記導光体の厚さ方向両側に配置された光学シートを有し、
前記導光体は、厚さ方向における第一面に複数の光偏向要素を有する、両面発光型照明装置。
【請求項２】
前記発光部は、平面視において矩形状に形成され、
前記光源部は、前記矩形の一辺に沿って配置され、
前記導光体は、前記第一面と反対側の第二面に、前記光源部の長手方向と直交する方向に延びる複数の光学要素を有する、請求項１に記載の両面発光型照明装置。
【請求項３】
前記発光部は、平面視において矩形状に形成され、
前記光源部は、前記矩形の対向する二辺に沿って配置されている、
前記導光体は、前記第一面と反対側の第二面に、前記光源部の長手方向と直交する方向に延びる複数の光学要素を有する、請求項１に記載の両面発光型照明装置。
【請求項４】
前記光学シートは、
基材層と、前記基材層の一方の面に設けられた拡散層と、前記基材等の他方の面に設けられコート層とを有し、
全光線透過率が７０％以上９０％以下、かつヘイズ値が８０％以上９３％以下の範囲に設定され、
前記コート層を前記導光板に対向させて配置されている、
請求項１から３のいずれか一項に記載の両面発光型照明装置。
【請求項５】
前記光学シートは、
基材層と、前記基材層の一方の面に設けられた拡散層と、前記基材等の他方の面に設けられコート層とを有し、
前記第一面側に配置された前記光学シートは、全光線透過率が１％以上１０％以下の範囲に設定され、
前記第二面側に配置された前記光学シートは、全光線透過率が７０％以上９０％以下、かつヘイズ値が８０％以上９３％以下の範囲に設定され、
いずれの光学シートも前記コート層を前記導光板に対向させて配置されている、
請求項１から３のいずれか一項に記載の両面発光型照明装置。
【請求項６】
前記導光体の厚さ方向の少なくとも一方に設けられた第二光学シートをさらに備える、請求項１から５のいずれか一項に記載の両面発光型照明装置。
【請求項７】
前記導光体の厚さ方向の少なくとも一方に設けられた蛍光シートをさらに備える、請求項１から６のいずれか一項に記載の両面発光型照明装置。
【請求項８】
前記導光板および前記光学シートを挟むように表面保護シートが配置されている、請求項１から７のいずれか一項に記載の両面発光型照明装置。
【発明の詳細な説明】
【技術分野】
【０００１】
本発明は、両面発光型照明装置、より詳しくは、導光板を備えたエッジライト方式の両面発光型照明装置に関する。
【背景技術】
【０００２】
従来、エッジライト方式と呼ばれる方式の照明装置が液晶テレビ等に採用されている。エッジライト方式の照明装置では、複数の冷陰極管又はＬＥＤが、導光板と呼ばれる透光性の板の端面（入射面）に配置される。通常、導光板には、端面から入射する光を効率良く射出面へと導く光偏向要素が形成される。光偏向要素としては、白色のインキが線状、またはドット状に印刷された構造等が知られている。
【０００３】
導光板の光偏光要素を調節すると、導光板の厚さ方向の両面から光を射出させることができる。特許文献１には、このような両面発光型の面発光用装置が記載されている。
【先行技術文献】
【特許文献】
【０００４】
【特許文献１】特開２０１４−２２２２３号公報
【発明の概要】
【発明が解決しようとする課題】
【０００５】
特許文献１に記載の面発光用装置では、印刷により導光板に設けた光偏光要素を透過する透過光を利用して、部品点数の省略等を図っているが、用途等によっては、必要な光量を得ることが困難になる場合があると推測される。
【０００６】
上記事情を踏まえ、本発明は、十分な光量を得ることが可能な両面発光型照明装置を提供することを目的とする。
【課題を解決するための手段】
【０００７】
本発明は、シート状の導光体を含んで構成された、可撓性を有する発光部と、光源を有し、前記発光部の周縁部に取り付けられた光源部とを備え、前記発光部は、前記導光体の厚さ方向両側に配置された光学シートを有し、前記導光体は、厚さ方向における第一面に複数の光偏向要素を有する両面発光型照明装置である。
【発明の効果】
【０００８】
本発明の両面発光型照明装置によれば、十分な光量を得ることができる。
【図面の簡単な説明】
【０００９】
【図１】本発明の第一実施形態の両面発光型照明装置を示す斜視図である。
【図２】同両面発光型照明装置の変形例を示す斜視図である。
【図３】同両面発光型照明装置の変形例を示す斜視図である。
【図４】図１のＩ−Ｉ線における断面を模式的に示す図である。
【図５】同両面発光型照明装置の変形例について、図２に相当する断面を模式的に示す図である。
【図６】本発明の第二実施形態に係る両面発光型照明装置の断面を模式的に示す図である。
【図７】同両面発光型照明装置の変形例の断面を模式的に示す図である。
【図８】本実施形態の第三実施形態に係る両面発光型照明装置の、Ｘ方向に平行な断面を模式的に示す図である。
【図９】本実施形態の第四実施形態に係る両面発光型照明装置の、Ｙ方向に平行な断面を模式的に示す図である。
【図１０】本実施形態の第五実施形態に係る両面発光型照明装置の、Ｙ方向に平行な断面を模式的に示す図である。
【図１１】同両面発光型照明装置の変形例における、Ｘ方向に平行な断面を模式的に示す図である。
【図１２】同両面発光型照明装置の変形例における、Ｘ方向に平行な断面を模式的に示す図である。
【図１３】同両面発光型照明装置の変形例における、Ｘ方向に平行な断面を模式的に示す図である。
【図１４】同両面発光型照明装置を用いた照明セットを示す斜視図である。
【発明を実施するための形態】
【００１０】
本発明の第一実施形態について、図１から図５を参照して説明する。図１は、本実施形態の両面発光型照明装置（以下、単に「照明装置」と称する。）１を示す斜視図である。照明装置１は、導光体を有する発光部１０と、発光部の周縁部に取り付けられた光源部３０とを備えている。
【００１１】
本実施形態の発光部１０は、平面視における形状が長方形（矩形状）であり、光源部３０は、ＬＥＤ等の光源と、光源に電気供給する配線３３とを有し、発光部の長辺の一方に、長辺の略全長にわたり取り付けられている。以降の説明においては、光源部３０の長手方向（発光部１０の長辺が延びる方向と同一）を「Ｘ方向」、Ｘ方向と直交する方向を「Ｙ方向」と称することがある。
【００１２】
光源部３０の配置態様は、図１に示したものには限られず、適宜変更することが可能である。図２に示す変形例の照明装置１Ａでは、発光部１０の対向する長辺の二辺に、光源部３０が当該長辺の略全長にわたって取り付けられている。図３に示す変形例の照明装置１Ｂでは、照明装置１Ｂと同様に取り付けられた２つの光源部３０が、発光部１０の短辺のうちの一辺に沿って設けられた配線３３により電気的に接続されている。
【００１３】
図４は、図１のＩ−Ｉ線における断面を模式的に示す図である。構造をわかりやすくするため、各部の寸法は適宜変更されている。
発光部１０は、シート状の導光体１１と、導光体１１の厚さ方向両側に配置された拡散シート（光学シート）２０とを有する。
【００１４】
導光体１１は、樹脂等で光透過性を有するように形成されており、可撓性を有している。導光体１１の厚さ方向の一方の面（以下、「第一面」と称する。）１１ａには、凸状のマイクロレンズ（光偏向要素）１２が、離散的に多数形成されている。マイクロレンズ１２の配置態様は、照明装置１に求められる所望の特性等を考慮して、適宜設定することができ、例えば特許第５３２１７６７号公報に記載の態様等を採用することができる。導光体１１の厚さ方向の一方の他方の面（以下、「第二面」と称する。）１１ｂは、平坦（略平坦を含む、以下同じ。）である。
【００１５】
拡散シート２０は可撓性を有しており、全光線透過率が７０％以上９０％以下、かつヘイズ値は８０％以上９３％以下の範囲に設定されているのが好ましい。一般的に拡散シート２０は全光線透過率とヘイズ値とはトレードオフの関係にあることが知られている。全光線透過率が７０％を下回り、ヘイズ値が９３％を超える拡散シートは拡散性が高過ぎ透過率が低くなるため、照明装置１の光利用効率が低下し十分な光量を得ることが出来ず望ましくない。一方で全光線透過率が９０％を超え、ヘイズ値が８０％を下回る拡散シート２０は拡散性が低過ぎるため、導光体１１の第１面１１ａに配置される光偏向要素１２が透けて見えてしまうなど、外観を損ねるため望ましくない。
【００１６】
拡散シート２０としては、透明な基材上に拡散ビーズをコーティングした拡散層を形成したものなどが好ましい。拡散ビーズのマイクロレンズ効果によって、導光体１１から射出される光が発光部１０の法線方向へと偏向されるためである。
このような拡散シート２０を、導光体１０の第１面側、及び第２面側に配置する場合、２つの拡散シートは上記した全光線透過率、及びヘイズ値の範囲であれば、その光学性能が同一であっても異なっていてもよい。
拡散シート２０において、拡散層と対向する面には各種の機能を発揮するコート層が付与されてもよい。コート層としてはハードコート層、帯電防止層、密着防止層などが挙げられる。
【００１７】
以上より、発光部１０は、３枚のシート状の部材を厚さ方向に被接着状態で重ねた構成を有し、撓むように折り曲げ可能な程度の可撓性を有する。発光部１０の３枚の部材（導光体１１および拡散シート１２）は、Ｙ方向の一端を光源部３０に、他端を支持部材１５に支持されているため、折り曲げ動作等により概ね一体として挙動する。
【００１８】
光源部３０は、ＬＥＤ３１を覆い、発光部１０の端部を支持するカバー部材３２を有する。ＬＥＤ３１としては、白色ＬＥＤや、光の３原色である赤色、緑色、青色を発光するチップで構成されるＲＧＢ−ＬＥＤ等を用いることができる。各ＬＥＤ３１は、光の出射面３１ａを導光体１１に対向させた状態で、Ｘ方向に複数並べて配置されている。光源部の光源はＬＥＤに限られず、例えば、ＣＣＦＬ（冷陰極管）に代表される蛍光管や、細長形状の面光源等が用いられてもよい。
配線３３の一端は、ＬＥＤ３１と電気的に接続され、他端は、図示しない電源に接続される。光源への電力供給源として電池等を用いる場合は、必ずしも配線３３を備えなくてもよい。
【００１９】
上記のように構成された本実施形態の照明装置１の使用時の動作について説明する。
配線３３から複数のＬＥＤ３１に電気を供給すると、各ＬＥＤ３１が発光する。ＬＥＤの光は、導光体１１の側面１１ｃから導光体１１の内部に入射した後、マイクロレンズ１２により偏向されて、第一面１１ａおよび第二面１１ｂから出射する。第一面１１ａおよび第二面１１ｂから出射された光は、拡散シート２０により拡散される。こうして、発光部１０の両面が発光する。
【００２０】
本実施形態の照明装置１によれば、導光体１１の厚さ方向両側に拡散シート２０が配置されているため、導光体から出射した光が好適に拡散される。その結果、発光部１０の両面とも、照明として好適な態様で発光させることができ、発光部１０の厚さ方向両側を好適に照らすことができる照明装置とすることができる。
【００２１】
本実施形態では、導光体に形成される光偏向要素が凸状のマイクロレンズである例を説明したが、光偏向要素の態様はこれには限られない。例えば、図５に示す変形例のように、凹状のマイクロレンズ１３が光偏向要素として設けられてもよい。ただし、凹状のマイクロレンズの場合、発光部の折り曲げ等に伴って拡散シートとの光学密着が発生し、輝度ムラ等が発生する場合があるため、凸状のマイクロレンズの方が好ましい。凹状のマイクロレンズ１３を用いる場合には、上述したように拡散シートにおいて拡散層と対向する面にハードコート層や密着防止層を付与すると、光学密着を抑制することができ好ましい。この他、ピラミッド形状の構造物や、ドット状の印刷などを光偏向要素として用いることも可能である。
【００２２】
また、本実施形態の照明装置の２つの射出面において発光量を異ならせたい場合は、第一面１１ａ側の光学シートと第二面１１ｂ側の光学シートとで全光線透過率を変更してもよい。このとき、第二面側の光学シートの全光線透過率を高めることが望ましい。本実施形態において、導光体１１に入射した光は、第一面１１ａに形成されるマイクロレンズ１２によって第一面１１ａおよび第二面１１ｂより射出されるが、第二面側に射出される光量の方が多いため、例えば、第一面側に配置される光学シートとして、全光線透過率の低い拡散シートを選択し、第二面側に配置される光学シートとして全光線透過率の高い拡散シートを選択すると、両面の光量差をより大きくすることができる。
上述のような場合、第一面側に配置される光学シートの全光線透過率は１％以上１０％以下の範囲であることが好ましい。これにより、第二面から射出される光量を増大させることが可能となる。また、第一面側には光偏向要素であるマイクロレンズ１２が形成されているため、第一面側に全光線透過率が低い光学シートを配置することで、マイクロレンズ１２の視認性を低減することができるというメリットもある。
【００２３】
次に、本発明の第二実施形態について、図６および図７を参照して説明する。本実施形態の照明装置と第一実施形態の照明装置との異なるところは、導光体の態様である。なお、以降の説明において、既に説明したものと共通する構成については、同一の符号を付して重複する説明を省略する。
【００２４】
図６は、本実施形態の照明装置５１の断面を模式的に示す図であり、左側がＹ方向に平行な断面、右側がＸ方向に平行な断面をそれぞれ示している。カバー部材３２および支持部材１５は除いて示している。図６に示すように、照明装置５１の導光体５２において、マイクロレンズ１２が形成された第一面５２ａと反対側の第二面５２ｂには、半円状の断面形状を有してＹ方向に延びるレンチキュラーレンズ（光学要素）５３がＸ方向に複数並べて形成されている。
【００２５】
照明装置５１において、光源部３０から導光体５２に入射した光は、レンチキュラーレンズ５３が延びるＹ方向に沿って直進する。その結果、発光部１０Ａにおいて、面内での輝度のムラが抑制され、輝度均一性の高い照明を行うことができる。
また、光源部３０の長手方向と垂直なＹ方向に延びる複数のレンチキュラーレンズ５３が、Ｘ方向に並べて形成されているため、発光部１０ＡのＸ方向における端部からは光が漏れにくい。したがって、Ｘ方向両端部に反射材等を取りつける必要がなく、簡素かつ安価に製造することができる。
【００２６】
本実施形態において、第二面に形成する光学要素はレンチキュラーレンズに限られない。例えば、図７に示すような三角形の断面形状を有するプリズムレンズ５４でもよい。ただし、プリズムレンズを用いた場合、光源部の光が入射する導光体５２の側面５２ｃ付近に、光源の配置に応じた輝度ムラが発生することがある。したがって、光学要素としてはレンチキュラーレンズがより好ましい。
【００２７】
次に、本発明の第三実施形態について、図８を参照して説明する。本実施形態の照明装置１０１と上述した各実施形態の照明装置との異なるところは、導光体の厚さ方向の少なくとも一方において、複数の拡散シートが配置される点である。
【００２８】
図８は、本実施形態の照明装置１０１のＸ方向に平行な断面を模式的に示す図である。図８に示すように、照明装置１０１では、導光体５２の厚さ方向両側において、拡散シート２０に加えて第二拡散シート（第二光学シート）６２が配置されている。２枚の第二拡散シート６２は、拡散シート２０と異なる光学性能を呈するものであり、いずれも導光体５２に対して拡散シート２０より離れた位置に配置されている。
【００２９】
導光体５２の第一面５２ａおよび第二面５２ｂから射出する光は、第一面５２ａおよび第二面５２ｂの法線方向に対して傾いて射出された後、拡散シート２０によって拡散され且つ第一面５２ａおよび第二面５２ｂの法線方向へと偏向されるが、拡散シートが１枚ではこの偏向が不十分な場合がある。
本実施形態の照明装置１０１においては、拡散シート２０に加えて第二拡散シート６２を設け、光学シートを２枚配置することで、導光体５２からの斜め方向への射出光を効率的に射出面法線方向へと偏向することができる。
本実施形態において、光学シートおよび第二光学シートは、拡散シートには限られない。例えば、上述のレンチキュラーレンズを有するレンチキュラーレンズシートや、上述のプリズムレンズを有するプリズムシートであってもよい。これらのシートに入射した光も、射出面の法線方向へと偏向されるため、このようなシートを２枚重ねることで、発光部法線方向の輝度をより高めることができる。このとき、レンチキュラーレンズおよびプリズムレンズは、導光体５２の側面５２ｃの長手方向と平行な方向（Ｘ方向）に延在し、光源光軸方向（Ｙ方向）に複数並べて配列されることが望ましい。
【００３０】
本実施形態において、第二拡散シートは、導光体の厚さ方向の一方にのみ設けられてもよく、その際に第二拡散シートが導光体と拡散シートとの間に配置されてもよい。特に、第二光学シートがレンチキュラーレンズシートやプリズムシートである場合、発光部の最表面に配置すると、レンズ特有の照りやギラつきが視認されてこのましくない場合がある。このような場合は、第二光学シートを導光体と光学シートとの間に配置するのが好ましい。
【００３１】
また、更に第三光学シートが配置されてもよい。第三光学シートとしては、例えばレンチキュラーレンズシートやプリズムシートのギラつきを低減させる微拡散シート等が挙げられる。微拡散シートとしては、全光線透過率が８０％以上９５％以下、かつヘイズ値が３０％以上８０％未満の範囲であることがより好ましい。
さらには、導光体の厚さ方向の少なくとも一方において、３枚以上の光学シートが配置されてもよい。
【００３２】
次に、本発明の第四実施形態について、図９を参照して説明する。本実施形態の照明装置１５１と上述した各実施形態の照明装置との異なるところは、導光体の厚さ方向の少なくとも一方において、蛍光シートが配置される点である。
【００３３】
図９は、本実施形態の照明装置１５１のＹ方向に平行な断面を模式的に示す図である。カバー部材３２および支持部材１５は除いて示している。図９に示すように、照明装置１５１においては、第二拡散シートに代えて、蛍光シート７２が導光体５２および拡散シート２０を挟むように配置されている。
【００３４】
各蛍光シート７２は蛍光体を含有する。この蛍光体は、導光体５２から出射されて拡散シート２０を透過した光の一部を吸収して励起光を発する。蛍光シート７２が含有する蛍光体には特に制限はなく、照明装置１５１から発せられる照明光に持たせたい色味等に応じて、所望の励起波長域を有するものを適宜選択することができる。
【００３５】
本実施形態の照明装置１５１によれば、拡散シート２０を透過した光の一部の波長が蛍光シート７２により変換されるため、照明光の色や明るさをより広い範囲で調節することができる。また、単なる着色シートで照明光の色を調節するのに比べて光の損失を抑制することができる。
【００３６】
特に、本発明の照明装置のように、可撓性を有する程度に発光部を薄く構成するためには、薄型のＬＥＤが光源として好適であるが、現状入手可能な薄型ＬＥＤのほとんどは、昼光色等の青色系の光を発するものである。したがって、蛍光シートでこのようなＬＥＤの光の波長を変換することで、電球色等の暖かみのある照明光の照明装置を構成することも可能となる。
【００３７】
本実施形態では、導光体の厚さ方向両側に蛍光シートが配置された例を説明したが、蛍光シートを厚さ方向の一方にのみ配置してもよい。このようにすると、発光部の一方の面では光の波長を変換し、もう一方の面では光源の光の色味を変えないことで、発光部の両面において照明光の色味を異ならせることができる。
また、励起波長域が異なる蛍光体をそれぞれ含有する蛍光シートを導光体の厚さ方向両側に配置すれば、光源の光の色味を用いずに発光部の両面において照明光の色味を異ならせることができる。
【００３８】
さらに、光源の光の色味を変えたいが、発光部の両面でほぼ同等の色味の照明光としたい場合は、導光体と拡散シートとの間に蛍光シートを配置してもよい。このようにすると、蛍光シートで波長変換された光の一部が導光体に再入射し、反対側に出射される。その結果、厚さ方向の一方にのみ蛍光シートを配置しても照明光の色味が発光部の両面でほぼ同等となり、部品点数を削減することが可能となる。
【００３９】
次に、本発明の第五実施形態について、図１０から図１３を参照して説明する。本実施形態の照明装置２０１と上述した各実施形態の照明装置との異なるところは、表面保護シートを備える点である。
【００４０】
図１０は、本実施形態の照明装置２０１のＹ方向に平行な断面を模式的に示す図であり、カバー部材３２および支持部材１５は除いて示している。図１０に示すように、照明装置２０１においては、第二拡散シートや蛍光シートに代えて、表面保護シート８２が導光体５２および拡散シート２０を挟むように配置されている。
【００４１】
表面保護シート８２としては、公知のものを適宜選択して用いることができる。例えば、透明な基材層の一方または両方の面に高透明かつ高硬度のコーティング剤を塗布してハードコート層を設けたもの等が挙げられる。
本実施形態の照明装置２０１によれば、拡散シート２０の傷つきを防止して、発光部における照明光の態様を所望の状態に好適に保持することができる。
【００４２】
図１１は、照明装置２０１の変形例である照明装置２０１ＡのＸ方向に平行な断面を模式的に示す図である。照明装置２０１Ａの拡散シート２０は、基材層２１と、拡散粒子２２ａを含み、基材層２１の一方の面に形成された拡散層２２と、基材層２１の他方の面に形成されたハードコート層２３Ａとを有している。拡散層２２は表面保護シート８２に、ハードコート層２３Ａは、導光体５２にそれぞれ対向している。
照明装置２０１Ａにおいては、拡散シートがハードコート層２３Ａを有するため、導光体に形成された光偏向要素や光学要素が好適に保護される。また、拡散層２２と、光偏向要素や光学要素とが対向していないため、拡散シートの拡散性能も好適に保持される。
【００４３】
図１２は、照明装置２０１の変形例である照明装置２０１ＢのＸ方向に平行な断面を模式的に示す図である。照明装置２０１Ｂにおいて、導光体５２は、第一面に凹状のマイクロレンズ１３を有し、マイクロレンズ１３側の拡散シート２０Ｂは、ハードコート層２３Ａに代えて密着防止層２３Ｂを有している。密着防止層２３Ｂは、バインダ中に少量の粒子２３ｂを含んで形成されている。拡散層２２は表面保護シート８２に、密着防止層２３Ｂは、導光体５２にそれぞれ対向している。照明装置２０１Ｂにおいては、拡散シート２０Ｂが密着防止層２３Ｂを有するため、導光体に形成された光偏向要素が凹形状であっても、拡散シートと導光体との光学密着を防ぐことができる。その結果、使用者が発光部の表面を指で押圧した場合でも、押圧した部分に輝度ムラが発生することを防ぐことができる。
【００４４】
図１３は、照明装置２０１の変形例である照明装置２０１ＣのＸ方向に平行な断面を模式的に示す図である。照明装置２０１Ｃにおいて、導光体１１Ａは、図５に示したものと同様であり、第一面に凹状のマイクロレンズ１３を有し、第二面は平坦に形成されている。また、導光体１１Ａの両側に拡散シート２０Ｂが配置されている。この変形例では、拡散シート２０Ｂを両側に設けることにより、平坦な第一面側においても、拡散シートと導光体との光学密着を防ぐことができる。その結果、押圧等による輝度ムラの発生を防ぐことができる。
【００４５】
以上、本発明の各実施形態および実施例について説明したが、本発明の技術範囲は上記実施形態に限定されるものではなく、本発明の趣旨を逸脱しない範囲において構成要素の組合せを変えたり、各構成要素に種々の変更を加えたり、削除したりすることが可能である。
【００４６】
例えば、導光体に光学要素を設けない等の場合は、公知の反射材を導光体のＸ方向両端部に配置することにより、導光体に入射した光の漏れを抑制してもよい。
【００４７】
また、拡散シートの平面視における寸法を、導光体の平面視における寸法よりも一回り大きく設定し、平面視において導光体が拡散シートの範囲内に位置するように配置して発光部を構成してもよい。このようにすると、発光部が撓んだ際の導光体と拡散シートとの距離（浮き）を小さくすることができ、発光部の折り曲げ等による照明光の変化を抑制することができる。
【００４８】
さらに、発光部の平面視形状を正方形や他の形状にしたり、光源部を長辺でない周縁部に取りつけたりしてもよい。ただし、光源部を発光部の長辺に取り付けると、光源の数や大きさを増大させて導光体への入射光を増加させることが容易となるメリットがあるため好ましい。
【００４９】
図１４に、本発明の照明装置を用いた照明セットを示した。照明セットは、照明装置１と筐体９０からなる。筐体９０は、レール構造を備え、照明装置１の発光部１０の短辺を筐体９０のレール構造内にスライドさせることで照明装置１に取り付けることができる。
筐体９０の内面には、金属又は白色インキからなる反射層が形成されている。したがって、照明装置１と筐体９０とからなる照明セットは、照明装置１単独で用いる場合には、両面発光装置として使用することができ、照明装置１を筐体９０に取り付けた場合には、片面発光装置として使用することができる。すなわち、両面発光装置と片面発光装置の切り替えを行うことができる。
また、筐体９０の内面が反射層を備えることによりを、照明装置単独で用いた場合の両面の光量を片面のみから射出させて、片面から射出される光量を約２倍にすることができる。
上述の照明セットにおいては、照明装置を筐体に取り付ける場合、光偏向要素が形成された導光体の第一面が筐体の反射層に対向するように設置することが好ましい。言い換えると、光学要素が形成される第二面が発光面（上面）となることが好ましい。このように設置したほうが、光量を多くすることができる。
【符号の説明】
【００５０】
１、１Ａ、１Ｂ、５１、１５１、２０１、２０１Ａ、２０１Ｂ、２０１Ｃ  両面発光型照明装置
１０、１０Ａ  発光部
１１、１１Ａ、５２、５２Ａ  導光体
１１ａ、５２ａ  第一面
１１ｂ、５２ｂ  第二面
１２、１３  マイクロレンズ（光偏向要素）
２０、２０Ａ、２０Ｂ  拡散シート（光学シート）
２１  基材層
２２  拡散層
２３Ａ  ハードコート層
３０  光源部
３１  ＬＥＤ（光源）
５３  レンチキュラーレンズ（光学要素）
５４  プリズムレンズ（光学要素）
６２  第二拡散シート（第二光学シート）
７２  蛍光シート
８２  表面保護シート
【図１】
2015159031.tif 000003
【図２】
2015159031.tif 000004
【図３】
2015159031.tif 000005
【図４】
2015159031.tif 000006
【図５】
2015159031.tif 000007
【図６】
2015159031.tif 000008
【図７】
2015159031.tif 000009
【図８】
2015159031.tif 000010
【図９】
2015159031.tif 000011
【図１０】
2015159031.tif 000012
【図１１】
2015159031.tif 000013
【図１２】
2015159031.tif 000014
【図１３】
2015159031.tif 000015
【図１４】
2015159031.tif 000016